(57)【特許請求の範囲】
【請求項１】
筒状の弾性体で形成されたホルダ本体を有し、
前記ホルダ本体は、
眼鏡のテンプルが挿入されるテンプル挿入口と、
前記テンプル挿入口と反対側の開口であり、前記テンプル挿入口より大きな開口であって、補聴器が挿入される補聴器挿入口と、
前記補聴器を収容し、弾性力により前記補聴器を保持する補聴器保持部と、
前記補聴器保持部から前記テンプル挿入口に向けて縮径し、前記テンプルの耳掛け部と前記補聴器から延設したチューブとを弾性力により保持するテンプル保持部と
を備えたことを特徴とする補聴器ホルダ。
【請求項２】
前記テンプル保持部は、前記補聴器の前記チューブの先端に設けられた耳穴挿入部を拡張により通過可能であることを特徴とする請求項１に記載の補聴器ホルダ。
【請求項３】
前記チューブは、導音チューブであり、前記耳穴挿入部はイヤーモールドであることを特徴とする請求項２に記載の補聴器ホルダ。
【請求項４】
前記耳穴挿入部は、レシーバーであり、前記テンプル保持部は、拡張により前記レシーバーを通過可能であることを特徴とする請求項２に記載の補聴器ホルダ。
【発明の詳細な説明】
【技術分野】
【０００１】
本発明は、補聴器ホルダに関する。
【背景技術】
【０００２】
現在、補聴器は小型化が進み、本体内に増幅された音を発するレシーバーを内蔵し、導音チューブにより外耳道に挿入されるイヤーモールドに接続されたものや、レシーバーを本体から分離し本体とレシーバーをケーブルで接続してレシーバー自体を外耳道に挿入するようにしたものも実用化されている。補聴器の小型化に伴い、補聴器が非常に高価になってきている。従って、補聴器を紛失や置き忘れることを防止するために眼鏡のテンプルに補聴器を保持する補聴器ホルダが提案されている（特許文献１参照）。
【０００３】
この補聴器ホルダは、弾性樹脂で形成され、横断面が上下方向に長い筒状部材で形成されたホルダ本体を有している。また、ホルダ本体は、拡張することにより、内部に補聴器本体を収容し、その弾性力によって該補聴器本体を保持する。さらに、ホルダ本体の一方の側面に、当該ホルダ本体を眼鏡の先セル部に取り付けるための取付部材が設けられ、前記ホルダ本体の少なくとも他方の側面に、補聴器の操作部材を操作しやすくし、補聴器の集音性能を損ねないようにするための開口が形成されている。
【先行技術文献】
【特許文献】
【０００４】
【特許文献１】特開２０１３−４８３１４号公報
【発明の概要】
【発明が解決しようとする課題】
【０００５】
しかし、特許文献１に記載の補聴器ホルダでは、補聴器ホルダを取り付けるためのフック状部を眼鏡のテンプルの先端部の先セル部に設ける必要が有るという問題点があった。従って、補聴器ホルダは通常の眼鏡に取り付けられるものではなく、フック状部を備えたテンプルを有するものにしか使用できないという問題点があった。また、補聴器ホルダの固定部はフック状部に限られるために、補聴器ホルダの安定性に欠け、使用者の運動等により補聴器ホルダがフック状部から脱落する虞があるという問題点があった。
【０００６】
本発明は、上記課題を解決するために成されたものであり、特別の構造を有しない通常の眼鏡に補聴器を簡単に固定でき、且つ、補聴器の保持の安定性に優れた補聴器ホルダを提供することを目的とする。
【課題を解決するための手段】
【０００７】
本発明の一態様の補聴器ホルダは、筒状の弾性体で形成されたホルダ本体を有し、  前記ホルダ本体は、眼鏡のテンプルが挿入されるテンプル挿入口と、前記テンプル挿入口と反対側の開口であり、前記テンプル挿入口より大きな開口であって、補聴器が挿入される補聴器挿入口と、前記補聴器を収容し、弾性力により前記補聴器を保持する補聴器保持部と、前記補聴器保持部から前記テンプル挿入口に向けて縮径し、前記テンプルの耳掛け部と前記補聴器から延設したチューブとを弾性力により保持するテンプル保持部とを備えたことを特徴とする。
【０００８】
上記構成の補聴器ホルダでは、テンプル挿入口と補聴器挿入口との間をテンプが貫通し、テンプル保持部がテンプルの耳掛け部と補聴器から延設したチューブとを弾性力により保持する。また、補聴器保持部が補聴器を収容し、弾性力により前記補聴器を保持する。従って、特別な構造を有しない通常の眼鏡に補聴器ホルダを容易に装着することができる。また、補聴器ホルダがテンプルから脱落することを防止できる。さらに、テンプル保持部がテンプルの耳掛け部と補聴器から延設したチューブとを弾性力により保持し、補聴器保持部が補聴器を収容し、弾性力により前記補聴器を保持するので、補聴器もチューブもテンプルと一体で押さえられるので、補聴器が補聴器ホルダから脱落することを防止できる。また、使用者が運動等をしても補聴器が補聴器ホルダから脱落することを防止できる。従って、テンプルに特別の構造を有しない各種の眼鏡に対応できる汎用性の高い補聴器ホルダを実現できる。
【０００９】
また、前記テンプル保持部は、前記補聴器の前記チューブの先端に設けられた耳穴挿入部を拡張により通過可能であるようにしてもよい。この場合には、補聴器ホルダのテンプル保持部を拡張して、耳穴挿入部を通過させるので、一旦、補聴器ホルダをテンプルに装着し、補聴器ホルダに補聴器を収容した後は、補聴器が脱落方向に引っ張られても、耳穴挿入部がテンプル保持部に引っかかって補聴器ホルダから補聴器が脱落することを防止できる。
【００１０】
また、前記チューブは、導音チューブであり、前記耳穴挿入部はイヤーモールドであってもよい。この場合には、補聴器ホルダをテンプルに装着し、補聴器ホルダに補聴器を収容した後は、補聴器が脱落方向に引っ張られても、イヤーモールドがテンプル保持部に引っかかって補聴器ホルダから補聴器が脱落することを防止できる。
【００１１】
また、前記耳穴挿入部は、レシーバーであり、前記テンプル保持部は、拡張により前記レシーバーを通過可能であるようにしてもよい。この場合には、補聴器ホルダをテンプルに装着し、補聴器ホルダに補聴器を収容した後は、補聴器が脱落方向に引っ張られても、レシーバーがテンプル保持部に引っかかって補聴器ホルダから補聴器が脱落することを防止できる。
【００１２】
また、眼鏡は上記の何れかの補聴器ホルダーを装着するようにしてもよい。この場合には、上記何れかの効果を奏することができる。
【図面の簡単な説明】
【００１３】
【図１】補聴器ホルダ１０が装着された眼鏡１の斜視図である。
【図２】補聴器３０の斜視図である。
【図３】補聴器ホルダ１０の正面図である。
【図４】補聴器ホルダ１０の平面図である。
【図５】補聴器ホルダ１０の右側面図である。
【図６】補聴器ホルダ１０の左側面図である。
【図７】補聴器ホルダ１０を眼鏡のテンプル５に装着し、補聴器ホルダ１０に補聴器３０が保持された状態を示す拡大図である。
【発明を実施するための形態】
【００１４】
以下、本発明の一実施の形態の補聴器ホルダ１０及び補聴器ホルダ１０が装着された眼鏡１を図面を参照して説明する。なお、以下の説明では、図３における上、下、左、右を補聴器ホルダ１０の上、下、右、左とし、紙面の表側を前、紙面の裏側を後とする。
【００１５】
図１に示すように、眼鏡１は、レンズ２，２を保持するフレーム部４と、フレーム部４の両端部に各々、ネジ３，３により回動可能に支持されるテンプル５，５とから構成されている。テンプル５の後端部は、下方に湾曲した耳掛け部６となっている。補聴器ホルダ１０は、一例として、テンプル５の耳掛け部６に装着される。
【００１６】
次に、図２を参照して、一般的な補聴器３０の構造を説明する。補聴器３０の一例として、耳掛け型を用いる。この耳掛け型の補聴器３０は、電池、アンプ、マイク等を内蔵した本体部３１から内部が中空で導音機能を有するチューブ３２が延設し、チューブ３２の先端に使用者の外耳道に挿入される耳穴挿入部３３が設けられている。耳穴挿入部３３は、先端部３３Ａから後端部３３Ｂに向けて拡径する円錐台形状に形成され、先端部３３Ａに音の出口である開口部３３Ｃが形成されている。また、補聴器３０の本体部３１は後端部３４が大きく、チューブ３２の接続部である先端部３５に向けて小さく形成されている。即ち、図２に示すように、本体部３１は正面視すると略三角形に形成されている。
【００１７】
次に、図３〜図６を参照して、補聴器ホルダ１０の構造を説明する。補聴器ホルダ１０は筒状の弾性体から形成されている。一例として、弾性を有する合成樹脂から構成されている。合成樹脂としては、例えば、塩化ピニール、合成ゴム等が用いられる。補聴器ホルダ１０は、前記合成樹脂を用いてディッピング法又は射出成形により形成される。図３に示すように、補聴器ホルダ１０は正面視すると、左側から補聴器保持部１１及びテンプル保持部１２から構成されている。補聴器保持部１１に補聴器３０が挿入されていない状態では、補聴器保持部１１の内部空間の大きさは、装着される補聴器３０の本体部３１の外形よりやや小さく形成されている。従って、補聴器保持部１１が拡張して補聴器３０の本体部３１を収容し、弾性力により保持する。また、テンプル保持部１２をテンプル５及びチューブ３２が通過していない状態では、図３に示すテンプル保持部１２の内部空間のＡ−Ａ断面の面積は、テンプル５の耳掛け部６及びチューブ３２の縦断面の面積（図１に示すＢ−Ｂ断面の面積）よりやや小さく形成されている。従って、テンプル保持部１２が拡張してテンプル５の耳掛け部６及びチューブ３２を通過させ弾性力により保持する。
【００１８】
図３の正面図、図４の平面図に示すように、補聴器ホルダ１０は、補聴器保持部１１側からテンプル保持部１２に向けて内部空間の縦断面積（図３に示すＡ−Ａ線での断面積と平行な断面積）が小さくなる縮径をして細くなっている。尚、補聴器保持部１１及びテンプル保持部１２の内部空間の縦断面積は、円形、楕円形、略矩形等、何れの形状でも良い。従って、「縮径」とは、内部空間の縦断面積が必ずしも円形に限られない。また、図３及び図４に示すように、補聴器ホルダ１０のテンプル保持部１２の右端部には、テンプル５が挿入される開口であるテンプル挿入口１４（図５参照）が形成されている。また、補聴器ホルダ１０の補聴器保持部１１の左端部には、補聴器３０が挿入される開口である補聴器挿入口１３（図６参照）が形成されている。補聴器挿入口１３は、テンプル挿入口１４より大きな開口であり、拡張することで補聴器３０が挿入可能である。また、テンプル挿入口１４は、耳穴挿入部３３のチューブ３２側の後端部よりも開口面積が小さく、拡張することで耳穴挿入部３３が通過可能である。
【００１９】
次に、図７を参照して、補聴器ホルダ１０の使用方法を説明する。はじめに、補聴器ホルダ１０の補聴器挿入口１３側から耳穴挿入部３３を挿入して補聴器保持部１１を通過させて、テンプル保持部１２内に耳穴挿入部３３を押し込む。この場合には、細い棒等で耳穴挿入部３３を押し込むと、補聴器保持部１１が拡張して耳穴挿入部３３がテンプル挿入口１４から外部に出る。次いで、テンプル５の耳掛け部６の後端部をテンプル挿入口１４から内部に押し込んで、テンプル保持部１２及び補聴器保持部１１を通過させる。次いで、補聴器挿入口１３から補聴器保持部１１に補聴器３０の本体を挿入すると、図７に示すように、補聴器保持部１１が拡張して補聴器３０を弾性力により保持する。補聴器３０をもう一方のテンプル５にも装着する場合には、同じ動作を繰り返す。
【００２０】
図７に示す状態で、補聴器ホルダ１０の補聴器保持部１１は、弾性力で補聴器３０とテンプル５の耳掛け部６を一体に保持する。また、テンプル保持部１２は、弾性力でチューブ３２とテンプル５を一体に保持する。従って、補聴器３０が補聴器ホルダ１０から脱落することを防止できる。また、使用者が運動等をしても補聴器３０が補聴器ホルダ１０から脱落することを防止できる。従って、テンプル５に特別の構造を有しない各種の眼鏡に対応できる汎用性が高く、安定して補聴器３０を確実に保持する補聴器ホルダ１０を実現できる。尚、図７に示すように、補聴器ホルダ１０をテンプル５に装着し、補聴器ホルダ１０に補聴器３０を収容した後は、補聴器３０が脱落方向に引っ張られて補聴器３０が補聴器保持部１１から外れても、耳穴挿入部３３がテンプル保持部１２に引っかかって補聴器ホルダ１０から補聴器３０が脱落することが防止できる。
【００２１】
尚、補聴器ホルダ１０は、上記の補聴器３０のように、補聴器３０の本体部３１内に、レシーバーを内蔵したものに限られず、レシーバーが耳穴挿入部３３内に設けられ、チューブ３２が内部に導線が設けられたケーブルとなっているレシーバーインカナル型（ＲＩＣ型）の補聴器にも用いられることは言うまでもない。従って、請求項に言う「チューブ」は、内部が中空の管でも、内部が導線のケーブルでもよい。
【００２２】
また、補聴器ホルダ１０は、弾性力を有するので、補聴器３０の大きさはある程度異なっても保持できる。また、補聴器ホルダ１０のサイズを、補聴器３０のサイズに合わせて、大、小の２種類や、大、中、小の３種類等複数予め用意しておいても良い。また、補聴器ホルダ１０は、図１、図３〜図７面に示す形に限られず、弾性力により補聴器３０を保持する補聴器保持部１１及び補聴器保持部１１からテンプル挿入口１４に向けて縮径し、テンプル５の耳掛け部６と補聴器３０から延設したチューブ３２とを弾性力により保持するテンプル保持部１２を備え、補聴器挿入口１３がテンプル挿入口１４より大きければ、各種の形状を採用できる。また、補聴器ホルダ１０の表面に模様、色、飾り等が付されていてもよい。補聴器ホルダ１０の色を耳掛け部６と同色又は同系色にすれば眼鏡１と一体感がでる。また、補聴器ホルダ１０の色を補聴器３０の本体部３１の色と同色又は同系色にすれば補聴器３０と一体感がでる。また、補聴器ホルダ１０の内面に微細な突起や溝を多数形成してもよい。この場合には、補聴器ホルダ１０内に、補聴器３０やテンプル５が貼り付かず挿入し易くなる。
【００２３】
また、補聴器ホルダ１０は、ディッピング法や射出成形により形成されるので、各種の大きさのものを製造できることは言うまでもない。また、補聴器ホルダ１０は必ずしもテンプル５の耳掛け部６に装着される必要はなく、耳掛け部６より前側のテンプル５に装着してもよい。また、補聴器ホルダ１０の材質は、塩化ビニール、合成ゴムに限られず、弾性体で有れば各種の材質を用いることができる。さらに、補聴器ホルダ１０の製造方法もディッピング法や射出成形に限られず、押出成形、ブロー成形、積層成形、注型、粉末成形、真空・圧空成形、延伸成形等により製造してもよい。また、３Ｄプリンタ等により製造してもよい。
【符号の説明】
【００２４】
１  眼鏡
２  レンズ
４  フレーム部
５  テンプル
６  耳掛け部
１０  補聴器ホルダ
１１  補聴器保持部
１２  テンプル保持部
１３  補聴器挿入口
１４  テンプル挿入口
３０  補聴器
３１  本体部
３２  チューブ
３３  耳穴挿入部
【要約】      （修正有）【課題】特別の構造を有しない通常の眼鏡に補聴器を簡単に固定でき、且つ、補聴器の保持の安定性に優れた補聴器ホルダ及び補聴器ホルダが装着された眼鏡を提供する。【解決手段】補聴器ホルダ１０の補聴器保持部１１は、弾性力で補聴器３０とテンプル５の耳掛け部６を一体に保持する。また、テンプル保持部１２は、弾性力でチューブ３２とテンプル５の耳掛け部６とを一体に保持する。【効果】補聴器３０が補聴器ホルダ１０から脱落することを防止できる。また、使用者が運動等をしても補聴器３０が補聴器ホルダ１０から脱落することを防止できる。テンプル５に特別の構造を有しない各種の眼鏡に対応できる汎用性が高く、安定して補聴器３０を確実に保持する補聴器ホルダ１０を実現できる。【選択図】図７【図１】
0005739052.tif 000002
【図２】
0005739052.tif 000003
【図３】
0005739052.tif 000004
【図４】
0005739052.tif 000005
【図５】
0005739052.tif 000006
【図６】
0005739052.tif 000007
【図７】
0005739052.tif 000008